(57)【要約】【目的】  番組の録画を予約する時点でその番組の延長等についてユーザに警告メッセージを提示することができる放送受信装置を提供する。【構成】  番組Ａ（野球）の放送予定時間が午後７：００から午後９：００までであるとし、別チャンネルの番組Ｂ（ドラマ）の放送予定時間が午後１０：００から午後１１：００までであるとする。番組Ａの録画予約を行うと、ＣＰＵ１７は番組Ａの番組情報からキーワードを検出して時間延長ありと推定する。ユーザが番組Ｂを予約すると、既に予約されている番組Ａが時間延長ありなので、ＣＰＵ１７は番組Ａの終了予定時刻に所定のずれ時間（例えば２時間とする）を加える。この場合、番組Ａの予想される終了時刻は１１：００となり、番組Ｂの開始時刻１０：００以降となるから、ＣＰＵ１７は予約が重なると推定し、その旨のメッセージをＯＳＤ表示する。【選択図】        図１
2006197340.tif 000002
【特許請求の範囲】
【請求項１】
番組情報を取得して記憶する手段と、ユーザにより指定された番組の予約録画を行う手段と、前記予約録画番組についての放送時間延長の可能性を前記番組情報に基づいて予測する手段と、前記予測手段にて延長の可能性有りと判断した場合にそのことをユーザに通知するメッセージを前記予約の操作がなされた時点で出力する手段と、を備えたことを特徴とする放送受信装置。
【請求項２】
番組情報を取得して記憶する手段と、ユーザにより指定された番組の予約録画を行う手段と、前記予約録画番組についての放送時間延長の可能性を前記番組情報に基づいて予測する手段と、新たに予約された番組がその延長によって既に予約されている番組と時間的に重なるか否かを推定する手段と、前記推定手段にて時間的重複が生じると推定した場合にそのことをユーザに通知するメッセージを前記新たな予約の操作がなされた時点で出力する手段と、を備えたことを特徴とする放送受信装置。
【請求項３】
番組情報を取得して記憶する手段と、ユーザにより指定された番組の予約録画を行う手段と、前記予約録画番組についての放送時間延長の可能性を前記番組情報に基づいて予測する手段と、新たに予約された番組が既に予約されている番組の延長によって既予約番組と時間的に重なるか否かを推定する手段と、前記推定手段にて時間的重複が生じると推定した場合にそのことをユーザに通知するメッセージを前記新たな予約の操作がなされた時点で出力する手段と、を備えたことを特徴とする放送受信装置。
【請求項４】
請求項２又は請求項３に記載の放送受信装置において、前記時間的に重複すると推定された複数の番組のうちのいずれを優先して録画するかの入力をユーザに促すメッセージを表示することを特徴とする放送受信装置。
【請求項５】
請求項１乃至請求項４のいずれかに記載の放送受信装置において、少なくとも生放送であることを示すキーワードをメモリに保持し、前記キーワードに一致する言葉が前記番組情報中に存在する場合に放送時間延長の可能性を予測するように構成されたことを特徴とする放送受信装置。
【発明の詳細な説明】
【技術分野】
【０００１】
この発明は、放送を受信する放送受信装置に関する。
【背景技術】
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、従来のアナログ放送と同様に映像や音声を送信することに加え、番組情報も送信している。この番組情報は、番組名、番組開始時間、番組継続時間、番組内容情報、番組ジャンル情報などの各種情報を含んでおり、受信装置側ではＯＳＤ（オンスクリーンディスプレイ）機能を用いたＥＰＧ（Ｅｌｅｃｔｒｏｎｉｃ  Ｐｒｏｇｒａｍ  Ｇｕｉｄｅ）表示機能によって多チャンネル放送のなかからユーザが望む番組を選択することができる。更に、ＥＰＧ表示機能を用い、放送予定されている番組をＥＰＧ上で選択して視聴予約や録画予約を行うことができる（特許文献１参照）。
【０００４】
【特許文献１】特開２００１−２８５７３２号公報
【発明の開示】
【発明が解決しようとする課題】
【０００５】
ところで、このようなディジタル放送受信装置では、予約録画番組が時間延長された場合にそれに追従して延長録画を行うかどうかをメニュー画面上で決めておくことが可能である。ここで、例えば、図５に示すように、或るチャンネルで放送される野球と他のチャンネルで放送されるドラマの両方を予約する場合が想定され、このような場合に追従録画の設定が行われていると、野球の放送時間が延長になった場合、受信装置は時間延長分について野球放送の録画を行うことになる。
【０００６】
上記の場合、野球の延長がドラマの開始時刻を過ぎても続くこととなった場合、ドラマの予約実行は破棄されることになる。しかし、ユーザは前記野球を予約する時点で、その延長によってドラマの録画予約が破棄されるとは考えていないことが多い。
【０００７】
この発明は、上記の事情に鑑み、番組の録画を予約する時点でその番組の延長等についてユーザに警告メッセージを提示することができる放送受信装置を提供することを目的とする。
【課題を解決するための手段】
【０００８】
この発明の放送受信装置は、上記の課題を解決するために、番組情報を取得して記憶する手段と、ユーザにより指定された番組の予約録画を行う手段と、前記予約録画番組についての放送時間延長の可能性を前記番組情報に基づいて予測する手段と、前記予測手段にて延長の可能性有りと判断した場合にそのことをユーザに通知するメッセージを前記予約の操作がなされた時点で出力する手段と、を備えたことを特徴とする。
【０００９】
上記の構成であれば、放送時間延長の可能性のある番組について録画予約を行ったときに、放送時間延長の可能性がある旨のメッセージが提示されるので、ユーザは、他の番組視聴や記録媒体の残量等について注意を払うことが容易になる。
【００１０】
また、この発明の放送受信装置は、番組情報を取得して記憶する手段と、ユーザにより指定された番組の予約録画を行う手段と、前記予約録画番組についての放送時間延長の可能性を前記番組情報に基づいて予測する手段と、新たに予約された番組がその延長によって既に予約されている番組と時間的に重なるか否かを推定する手段と、前記推定手段にて時間的重複が生じると推定した場合にそのことをユーザに通知するメッセージを前記新たな予約の操作がなされた時点で出力する手段と、を備えたことを特徴とする。
【００１１】
また、この発明の放送受信装置は、番組情報を取得して記憶する手段と、ユーザにより指定された番組の予約録画を行う手段と、前記予約録画番組についての放送時間延長の可能性を前記番組情報に基づいて予測する手段と、新たに予約された番組が既に予約されている番組の延長によって既予約番組と時間的に重なるか否かを推定する手段と、前記推定手段にて時間的重複が生じると推定した場合にそのことをユーザに通知するメッセージを前記新たな予約の操作がなされた時点で出力する手段と、を備えたことを特徴とする。
【００１２】
これらの構成であれば、二以上の録画予約において一方の番組の放送時間延長の可能性がある場合に、ユーザはそのことを知って適切な対応を予約操作の時点で採ることが可能となる。これら構成において、前記時間的に重複すると推定された複数の番組のうちのいずれを優先して録画するかの入力をユーザに促すメッセージを表示するのが望ましい。
【００１３】
少なくとも生放送であることを示すキーワードをメモリに保持し、前記キーワードに一致する言葉が前記番組情報中に存在する場合に放送時間延長の可能性を予測するように構成されているのがよい。
【発明の効果】
【００１４】
以上説明したように、この発明であれば、番組の録画を予約する時点でその番組の延長等についてユーザに警告メッセージを提示することができる。また、他の予約番組と重複する可能性がある場合、ユーザは所望の番組の録画を優先させることができる。
【発明を実施するための最良の形態】
【００１５】
以下、この発明の実施形態を図１乃至図４に基づいて説明するが、ここではユーザがＢＳディジタル放送を視聴する場合を例示している。
【００１６】
図１はこの実施形態のディジタル放送受信装置３０を示したブロック図である。図１において、アンテナ１は、屋外において所定の方向に向けて配置されており、ＢＳ（Ｂｒｏａｄｃａｓｔｉｎｇ  Ｓａｔｅｌｌｉｔｅ）から送られてくるディジタル放送波を受信する。このアンテナ１は、一般に周波数変換器を備え、受信／周波数変換した信号をチューナ２に与える。
【００１７】
チューナ２は、受信した高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１８】
デマルチプレクサ（ＤＥＭＵＸ）３は、チューナ２から出力されるトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３におけるＴＳデコーダ３ａは、ユーザによって選択された番組を構成するトランスポートストリーム（パーシャルＴＳ）をＣＰＵ１７の指令に基づいて取り出してストリーム記録・再生部４に供給し、ＡＶデコーダ７へはビデオストリーム及びオーディオストリームを供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。更に、ＳＩには番組情報（番組名、番組開始時刻、番組継続時間、番組内容情報、番組ジャンル情報等）が含まれている。そして、番組情報中のＥＩＴ（Ｅｖｅｎｔ  Ｉｎｆｏｒｍａｔｉｏｎ  Ｔａｂｌｅ）により、番組名称、放送日時、番組内容情報などを取得することができる。番組予約録画処理のために、番組情報は後述するメモリ１８に格納される。
【００１９】
ストリーム記録・再生部４は、外部録画装置（Ｄ−ＶＨＳ、ハードディスク、ＭＯ等）３１との間でＩＥＥＥ１３９４インターフェース５を通じてデータや制御信号のやりとりを行い、ＴＳデコーダ３ａから出力されたパーシャルＴＳを外部録画装置３１に書き込み（記録）、また、外部録画装置３１からパーシャルＴＳを読み出すことができる（再生）。勿論、図示しない内部記録装置（ハードディスク等）を備え、この内部記録装置に記録することとしてもよい。
【００２０】
ＡＶデコーダ７は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御等を行う。オーディオデコーダは、入力された符号化信号を復号して音声データを生成する。
【００２１】
映像処理回路８は、ＡＶデコーダ７から映像データを受け取ってＤ／Ａ変換を行い、例えばＮＴＳＣコンポジット信号に変換する。音声処理回路９は、ＡＶデコーダ７から出力された音声データを受け取ってＤ／Ａ変換を行い、例えば右（Ｒ）音のアナログ信号及び左（Ｌ）音のアナログ信号を生成する。
【００２２】
映像出力回路１０及び音声出力回路１１は出力抵抗や増幅器等を備えて成る。ＡＶ出力端子１２には、出力部（左右音声出力端子等や映像出力端子のセット）が設けられており、この出力部には、ディスプレイやスピーカを備えるモニタ１４が映像／音声コード１３によって接続される。
【００２３】
ＯＳＤ回路１９は、ＣＰＵ１７から出力指示された文字情報や色情報に基づくビットマップデータを加算器２０に出力する。加算器２０は前記ビットマップデータを映像データに組み込む処理を行う。上記ＯＳＤ回路１９により、ＣＰＵ１７が受け取ったＳＩに基づくＥＰＧ表示、自動録画設定画面、警告メッセージの表示などが行えることになる。
【００２４】
リモコン送信機１５は、当該放送受信装置３０に指令を送出するための送信機である。このリモコン送信機１５に設けられた図示しないキーを操作すると、そのキーに対応した指令を意味する信号光（リモコン信号）が図示しない発光部から送出される。リモコン受光器１６は、前記信号光を受光し、これを電気信号に変換してＣＰＵ１７に与える。
【００２５】
メモリ（ＲＡＭ、ＥＥＰＲＯＭ、フラッシュメモリ等）１８には、ＥＰＧを表示するためなどに用いられる番組情報の他、後述する予約録画に関する各種設定内容などが格納される。なお、インターネット接続環境を備え、例えば、番組情報提供サイトにアクセスして番組情報をダウンロードし、このダウンロードした番組情報をメモリ１８に記録することも可能である。すなわち、番組情報は放送波により取得することに限定されるものではない。
【００２６】
ＣＰＵ１７は、このディジタル放送受信装置３０における全体制御を行うものであるが、特にこの発明にかかる制御として、予約録画処理及び警告メッセージ表示処理などを行うようになっている。先述したごとく、番組情報（ＥＩＴ等）に基づいてＥＰＧ（電子番組表）表示が可能であり、ユーザは、前記ＥＰＧから予約したい番組を選択することができる。ＣＰＵ１７は、録画予約された番組の番組情報（番組のタイトル、内容、ジャンル等）中に、番組延長の可能性を示すキーワードが存在するかどうかを検索する。前記キーワードとしては、「野球」「サッカー」「生放送」「生中継」「ＬＩＶＥ」「放送時間延長あり」などがある。これらキーワードは文字コード列としてメモリに予め記憶されており、当該文字コード列に一致する文字コード列が番組情報中に存在するかどうかによって前記検索を行うことができる。番組情報の中から前記キーワードの一つ或いは組み合わせ（野球且つ生中継等）が検索されたとき、ＣＰＵ１７は番組延長の可能性ありと推定する。
【００２７】
図２は、どのような場合に警告メッセージが作成されるかを示した説明図である。この例では、３１ｃｈで放送される野球を録画予約しようとする場合を示している。このような想定において、前記野球の番組情報中からは前記キーワードが検索されることになり、図に示しているごとく、「放送時間の延長の可能性があります。」といった警告メッセージをＯＳＤ表示する。勿論、更に「記録媒体の残量にご注意下さい」といったメッセージを表示してもよい。
【００２８】
図３は二つの番組が録画予約された場合の番組放送時間の重なりの説明図である。この図３では、番組Ａ（野球）の放送予定時間が午後７：００から午後９：００までであるとし、別チャンネルの番組Ｂ（ドラマ）の放送予定時間が午後１０：００から午後１１：００までであると想定している。番組Ａの録画予約を行うと、ＣＰＵ１７は番組Ａの番組情報からキーワードを検出して時間延長ありと推定することになる。次にユーザが番組Ｂを予約すると、番組Ｂについてはキーワードが検出されないのでＣＰＵ１７は時間延長はないと判断する。ただし、既に予約されている番組Ａが時間延長ありなので、ＣＰＵ１７は番組Ａの終了予定時刻に予想延長時間（例えば２時間とする）を加えた時刻を計算する。この場合、番組Ａの予想終了時刻は１１：００となり、番組Ｂの開始時刻１０：００以降となるから、ＣＰＵ１７は予約が重なると推定する。予約が重なると推定した場合、ＣＰＵ１７は、予約が重なる可能性が有る旨のメッセージをＯＳＤ表示するとともに番組Ａと番組Ｂのどちらを優先するかをユーザに選択させるための画面を表示する。ユーザがリモコン送信機１５のキー（方向キー、決定キー等）を操作してどちらかを選ぶと、ＣＰＵ１７は選択結果に基づいて予約処理を行う。具体的には、番組Ｂが優先選択された場合には、野球が延長された場合でも、番組Ｂの開始時刻１０：００になれば番組Ｂを受信するための選局処理及び録画処理を実行する。また、番組Ａが優先選択された場合には、番組Ｂの開始時刻１０：００になったとしても番組Ａが延長時間中であれば番組Ａの録画処理を続行する。勿論、番組Ａが終了次第、番組Ｂの録画処理に切り替えてもよい。
【００２９】
図４は上述した処理内容を示したフローチャートである。ユーザがＥＰＧ上で番組の予約処理を行うと、ＣＰＵ１７は番組情報を取得し（ステップＳ１）、番組情報中に放送時間延長に関係するキーワードが含まれているかどうかを検索する（ステップＳ２）。キーワードが見つからなかった場合には（ステップＳ３でＮＯ）、予約された番組について、「時間延長なし」をセットし（ステップＳ４）、キーワードが見つかった場合には（ステップＳ３でＹＥＳ）、予約された番組について、「時間延長あり」をセットする（ステップＳ５）。なお、時間延長有り／無しは、そのことを示すフラグの”０”，”１”で表すことができる。
【００３０】
ＣＰＵ１７は他の予約番組が存在するかどうかを判断し（ステップＳ６）、他の予約番組が存在しない場合には（ステップＳ６でＮＯ）、ステップＳ１３に進む。一方、他の予約番組が存在する場合には（ステップＳ６でＹＥＳ）、予約番組の中で「時間延長あり」とセットされた番組に対して時間延長が起こった場合の放送終了時刻を計算し、予約処理中の番組の開始時刻と重なるかどうかを判定するのに必要な処理を実行する（ステップＳ７）。予約処理中の番組と重ならないと判定した場合には（ステップＳ８でＮＯ）、ステップＳ１３に進む。予約処理中の番組と重なると判定した場合には（ステップＳ８でＹＥＳ）、他の予約番組がその放送時間延長によって予約処理中の番組と重なる可能性がある旨のメッセージを表示する（ステップＳ９）。更に、重なった番組の優先順位を選択する画面を表示する（ステップＳ１０）。そして、予約処理中の番組が更に他の予約番組と重なっているかどうかを判断し（ステップＳ１１）、重複が残っている場合にはステップＳ１０に戻り、重複がなくなった場合にはユーザが選択した結果に基づいて予約実行する（ステップＳ１２）。
【００３１】
ステップＳ６において他の予約番組がないと判断された場合、及びステップＳ８において予約番組の重なりがないと判断された場合、予約処理中の番組が「時間延長あり」かどうかを判断する（ステップＳ１３）。「時間延長なし」である場合には処理を終了し、「時間延長あり」であるときには、予約処理中の番組について時間延長が起こりうる趣旨のメッセージを表示して（ステップＳ１４）処理を終了する。
【００３２】
上記の処理例では、番組の予約処理において、他の予約番組の時間延長を判断したが、これに加えて、当該他の予約番組と同一チャンネルの先行番組（例えば、先行する一つの番組、或いは先行する二つの番組等）について時間延長を推定するようにしてもよい。例えば、図３において、番組Ａの後の午後９時からクイズ番組（例えば３０分番組）が存在するとし、番組Ａについては録画の予約はなく、前記クイズ番組について録画の予約が有るとする。この場合、クイズ番組についての前記キーワード検索では、「時間延長なし」となってしまうが、その前の番組である番組Ａ（野球）が時間延長されたために、前記クイズ番組と番組Ｂ（ドラマ）とが重複する可能性が生じる。前述のごとく、他の予約番組と同一チャンネルの先行番組について時間延長を推定すれば、前記クイズ番組と番組Ｂ（ドラマ）との重複判定、及びそれに基づくメッセージ表示等が可能となる。
【００３３】
また、上記の例では、延長予想時間として２時間を設定したが、この時間を一定とすることに限るものではない。例えば、時間延長有りと推定された番組のジャンルごとに延長予想時間を設定してもよい。野球の場合は２時間、音楽の場合は１時間といった例を挙げることができる。
【図面の簡単な説明】
【００３４】
【図１】この発明の実施形態のディジタル放送受信装置を示したブロック図である。
【図２】どのような場合に警告メッセージが作成されるかを示した説明図である。
【図３】二つの番組が録画予約された場合の番組放送時間の重なりの説明図である。
【図４】この発明の実施形態の処理内容を示したフローチャートである。
【図５】従来の処理例を示した説明図である。
【符号の説明】
【００３５】
１    アンテナ
２    チューナ
３    デマルチプレクサ（ＤＥＭＵＸ）
３ａ  ＴＳデコーダ
４    ストリーム記録再生部
５    ＩＥＥＥ１３９４インターフェース
７    ＡＶデコーダ
１７  ＣＰＵ
１８  不揮発性メモリ
１９  ＯＳＤ回路
３１  外部録画装置
【図１】
2006197340.tif 000003
【図２】
2006197340.tif 000004
【図３】
2006197340.tif 000005
【図４】
2006197340.tif 000006
【図５】
2006197340.tif 000007